【事件の表示】
　特願２０１２−８８４２５「画像形成装置」拒絶査定不服審判事件〔平成２５年１０月２４日出願公開、特開２０１３−２１８１００、請求項の数（６）〕について、次のとおり審決する。
【結　論】
　原査定を取り消す。
　本願の発明は、特許すべきものとする。
【理　由】
第１　手続の経緯
　本願は，平成２４年４月９日の出願であって，平成２８年２月１９日付けで拒絶理由通知がされ，同年５月２日付けで手続補正がされ，同年６月２２日付けで拒絶査定（以下，「原査定」という。）がされ，これに対し，同年９月２８日に拒絶査定不服審判の請求がされると同時に手続補正がされたものである。
第２　原査定の概要
　平成２８年６月２２日付けの拒絶査定の概要は以下のとおりである。
　本願請求項１乃至７に係る発明は，以下の引用文献１乃至５に基づいて，その発明の属する技術の分野における通常の知識を有する者（以下，「当業者」という。）が容易に発明できたものであるから，特許法第２９条第２項の規定により特許を受けることができない。
　特に請求項１に係る発明については，引用文献１−３に基づいて，当業者が容易に発明できたものであるから，特許法第２９条第２項の規定により特許を受けることができない，というものである。
引用文献等一覧
１．特開２００２−３３１７２５号公報
２．特開平０１−３０６２４８号公報
３．特開平０５−１３１６７５号公報
４．特開平０４−１４３７７２号公報
５．特開平０４−３５６０６５号公報
第３　本願発明
　本願請求項１−６に係る発明（以下，それぞれ「本願発明１」…「本願発明６」という。）は，平成２８年９月２８日付けの手続補正で補正された特許請求の範囲の請求項１−６に記載された事項により特定される発明である。
「【請求項１】
　感光体上に静電潜像を形成し，前記静電潜像をトナーを用いて現像し，前記感光体上に現像されたトナー像を記録媒体上に転写することによって記録媒体上に画像を形成する画像形成装置であって，
　前記静電潜像を形成するための光ビームであって，供給される駆動電流の値に応じた光量の光ビームを出射する発光素子と，
　入力される光量制御電圧に応じた値の駆動電流を前記発光素子に供給する駆動回路と，
　前記光量制御電圧を保持するコンデンサを含み，前記光ビームの光強度が目標強度になるように前記コンデンサが保持する前記光量制御電圧を制御する制御回路であって，前記駆動回路に接続され，前記駆動回路との接続を介して前記コンデンサが保持する前記光量制御電圧を前記駆動回路に入力する制御回路と，
　前記駆動回路に前記駆動回路を動作させるための電圧を印加する第１の電源と，
　前記制御回路に前記制御回路を動作させるための電圧を印加する第２の電源と，
　当該画像形成装置の筐体に設けられたドアの開閉を検知する検知手段と，
　前記検知手段が前記ドアが開放されたことを検知したときに，前記第１の電源から前記駆動回路への電圧の印加を停止する停止手段と，
　前記第１の電源が前記駆動回路に印加する電圧が第１の電圧値以下になったことに応じて第１の監視信号を出力し，前記第２の電源が前記制御回路に印加する電圧が第２の電圧値以下になったことに応じて第２の監視信号を出力する電源監視手段と，
　前記電源監視手段によって前記第１の監視信号が出力されたときに，前記コンデンサに保持された前記光量制御電圧が前記駆動回路に入力されないように前記制御回路と前記駆動回路との前記接続を遮断する遮断手段と，
　前記電源監視手段によって前記第２の監視信号が出力されたときに，前記コンデンサから電荷を放電させる放電回路と，
を有することを特徴とする画像形成装置。
　　【請求項２】
　前記電源監視手段は，
　前記第１の電源の電圧が前記第１の電圧値以下になってからその状態が継続されている時間を計測する計測手段と，
　前記計測手段によって計測された計測時間と予め設定された設定時間とを比較する比較手段と
を有し，
　前記比較手段による比較の結果，前記計測時間が前記設定時間になったときに，前記第１の監視信号を出力することを特徴とする請求項１に記載の画像形成装置。
　　【請求項３】
　前記第２の監視信号が出力されるときに，前記電源監視手段が前記第２の電源の異常を検知したことを報知するための報知情報を生成する生成手段をさらに有することを特徴とする請求項１または２に記載の画像形成装置。
　　【請求項４】
　前記第１の監視信号が出力されるときに，その出力がなされたことを示す出力情報を記憶する記憶手段と，
　前記記憶手段に記憶された出力情報を，外部からのアクセスに応じて外部に送信する送信手段とをさらに有することを特徴とする請求項１乃至３のいずれか１項に記載の画像形成装置。
　　【請求項５】
　前記第１の電源と前記第２の電源とは同電位であることを特徴とする請求項１乃至４のいずれか１項に記載の画像形成装置。
　　【請求項６】
　前記第１の電源と前記第２の電源とは互いに異なる電位であることを特徴とする請求項１乃至４のいずれか１項に記載の画像形成装置。」
第４　引用文献，引用発明等
　１．原査定の拒絶の理由に引用された引用文献１には，図面とともに次の事項が記載されている。
　ア「【０００１】
【発明の属する技術分野】本発明は
レーザビームプリンター等の画像形成装置に関し
　イ「【００１６】画像書き出しタイミング制御回路１０１はマゼンタ（Ｍ），シアン（Ｃ），イエロー（Ｙ），ブラック（ＢＫ）の画像信号２を，図３に示すような副走査方向のタイミング信号であるＩＴＯＰ信号（図中Ａ）と主走査方向のタイミング信号であるＬＳＹＮＣ信号（図中Ｂ）のタイミングに応じてレーザ駆動制御回路１１２に送出する。
レーザ駆動制御回路１１２はＬＳＹＮＣ信号と画像信号２を基に図３のようなレーザ点灯信号（Ｌａｓｅｒ−ＯＮ信号，図中Ｃ）を生成する。レーザ駆動制御回路１１２はこのＬａｓｅｒ−ＯＮ信号に応じて，レーザダイオード１００を変調駆動する。
【００１７】
レーザ光はポリゴンモータ１０６が駆動することで図１に示す矢印方向に回転するポリゴンミラー１０３に反射され，ｆ−θレンズ１０４によってｆθ補正され，感光ドラム１０５上を走査する。こうして，感光ドラム１０５上に静電潜像が形成される。
【００１８】また
感光ドラム１０５の周囲には不図示のマゼンタ（Ｍ），シアン（Ｃ），イエロー（Ｙ），ブラック（ＢＫ）の現像器が設けられ，感光ドラム１０５が４回転する間に４つの現像器が交互に感光ドラム１０５に接し，感光ドラム１０５上に形成されたＭ，Ｃ，Ｙ，ＢＫの静電潜像に対応するトナーで現像する。
【００１９】不図示の
用紙カセットより給紙された記録用紙１０９は転写ドラム１０８に巻き付けられ，現像器で現像されたトナー像が転写される。
　ウ「【００２１】図２は電気的レーザ遮断手段の構成例である。
ドア開閉検知部２００はスイッチ２０１と発光受光素子からなるフォトセンサ２０２で構成されている。
ドアが開けられると先ずフォトセンサ２０２の発光素子と受光素子間を遮断するようにフラグ（不図示）が動作し，その後スイッチ２０１がオープン（開）となるように配置されている。
【００２２】
スイッチ２０１は一方の端子が＋２４Ｖ電源に，他方の端子がリレー２０３のコイル部２０３−１に接続されている。また，リレー２０３のスイッチ部２０３−２にはレーザ電源２０４が接続されている。ドアが閉まっている時はリレー２０３のコイル部２０３−１に＋２４Ｖ電源が供給されているのでスイッチ部２０３−２は閉じており，ドアが開くとリレー２０３のコイル部２０３−１に＋２４Ｖ電源が供給されないのでスイッチ部２０３−２は開くことになる。
　エ「【００２３】
レーザ駆動制御回路１１２は画像信号変調部２０５と制御信号生成部２０６とレーザ駆動回路２０７から構成されている。画像信号変調部２０５は，画像書出しタイミング制御回路１０１から供給される画像信号２に対し公知のパルス幅変調を行い，変調された画像信号をレーザ駆動回路２０７に供給する。制御信号生成部２０６は，画像書出しタイミング制御回路１０１から供給されるＬＳＹＮＣ信号を基にレーザＡＰＣを行うタイミング信号を作り出しレーザ駆動回路２０７に供給する。また，画像信号変調部２０５及び制御信号生成部２０６は，レーザ電源２０４から電源供給される。一方，レーザ駆動回路２０７はリレー２０３のスイッチ部２０３−２を経由してレーザ電源２０４から電源供給されるため，ドアが開けられるとスイッチ２０１がオープン（開）となるため，リレー２０３はレーザ駆動回路２０７への電源供給を遮断する。
【００２４】しかし，画像形成中といったレーザ点灯時にドアを開けられるとレーザ点灯中に強制消灯し，レーザダイオード１００にストレスを与えてしまう。更に，ドアが開けられるとレーザ駆動回路２０７への電源供給は遮断されるが，画像信号変調部２０５及び制御信号生成部２０６にはレーザ電源は供給された侭なのでレーザ駆動回路２０７に信号が供給されてしまう。即ち，レーザ駆動回路２０７に電気的ストレスを与えることになる。
【００２５】本発明では，画像信号変調部２０５及び制御信号生成部２０６の出力イネーブル信号をドア開閉検知部２００のフォトセンサ２０２の出力に接続されているので，レーザ点灯時にドアを開けられるとフォトセンサ２０２の出力がＬレベルとなり，画像信号変調部２０５及び制御信号生成部２０６の出力イネーブル信号をディセイブルとする。即ち，ドアが開けられると画像信号変調部２０５及び制御信号生成部２０６の出力はＬレベル（もしくはハイインピーダンス状態）となる。
【００２６】また，前述のとおり
ドアが開けられるとフォトセンサ２０２の出力がＬとなってからスイッチ２０１がオープン（開）となるので，レーザ駆動回路２０７の制御信号入力がＬレベル（もしくはハイインピーダンス状態）になってから電源入力が遮断されることになるので，レーザ駆動回路２０７に電気的ストレスを与えることはない。
【００２７】このタイミングを示したのが図４である。
【００２８】図４において，ドアが開けられると，フォトセンサ２０２の出力がＬレベルとなり（４０１），即ち画像信号変調部２０５及び制御信号生成部２０６の出力イネーブル信号（ＥＮ信号）がＬレベルとなる。画像信号変調部２０５及び制御信号生成部２０６ではＴ１後に出力（レーザ駆動回路２０７の入力）をＬレベルにする（４０２）。フォトセンサ２０２の出力がＬレベルとなってから，Ｔ２後にスイッチ２０１がオープンとなりリレー２０３のコイル（２０３−１）間電圧が＋２４Ｖから０Ｖとなる（４０３）。すると，Ｔ３後にリレー２０３のスイッチ部２０３−２がオープン（開）となるため，レーザ駆動回路２０７の電源供給が遮断される（４０４）。従って，Ｔ１＜Ｔ２＋Ｔ３となるようにフォトセンサ２０２とスイッチ２０１のメカ的な配置がなされていることで，
レーザ駆動回路２０７の入力信号がＬレベル（もしくはハイインピーダンス状態）になってから電源供給が遮断され，レーザダイオード１００やレーザ駆動回路２０７に電気的ストレスを与えることなくレーザを消灯することができる。
　したがって，上記引用文献１には次の発明（以下，「引用発明１」という。）が記載されていると認められる。
　「ポリゴンモータ１０６が駆動することでレーザ光が回転するポリゴンミラー１０３に反射され，ｆ−θレンズ１０４によってｆθ補正され，感光ドラム１０５上を走査され，感光ドラム１０５上に静電潜像が形成され，感光ドラム１０５の周囲にはマゼンタ（Ｍ），シアン（Ｃ），イエロー（Ｙ），ブラック（ＢＫ）の現像器が設けられ，感光ドラム１０５が４回転する間に４つの現像器が交互に感光ドラム１０５に接し，感光ドラム１０５上に形成されたＭ，Ｃ，Ｙ，ＢＫの静電潜像に対応するトナーで現像し，用紙カセットより給紙された記録用紙１０９は転写ドラム１０８に巻き付けられ，現像器で現像されたトナー像が転写される画像形成装置において，
　ＬＳＹＮＣ信号と画像信号２を基に生成されたレーザ点灯信号（Ｌａｓｅｒ−ＯＮ信号）に応じて，レーザダイオード１００を変調駆動するレーザ駆動制御回路１１２は，画像信号変調部２０５と制御信号生成部２０６とレーザ駆動回路２０７から構成され，
　画像信号変調部２０５は，画像書出しタイミング制御回路１０１から供給される画像信号２に対し公知のパルス幅変調を行い，変調された画像信号をレーザ駆動回路２０７に供給し，
　制御信号生成部２０６は，画像書出しタイミング制御回路１０１から供給されるＬＳＹＮＣ信号を基にレーザＡＰＣを行うタイミング信号を作り出しレーザ駆動回路２０７に供給し，
　画像信号変調部２０５と制御信号生成部２０６は，レーザ電源２０４から電源供給され，
　レーザ駆動回路２０７は，リレー２０３のスイッチ部２０３−２を経由してレーザ電源２０４から電源供給され，
　ドア開閉検知部２００はスイッチ２０１と発光受光素子からなるフォトセンサ２０２で構成され，ドアが開けられると先ずフォトセンサ２０２の発光素子と受光素子間を遮断するようにフラグが動作し，その後スイッチ２０１がオープンとなるように配置されており，
　スイッチ２０１は一方の端子が＋２４Ｖ電源に，他方の端子がリレー２０３のコイル部２０３−１に接続されていて，リレー２０３のスイッチ部２０３−２にはレーザ電源２０４が接続され，
　ドアが閉まっている時はリレー２０３のコイル部２０３−１に＋２４Ｖ電源が供給されてスイッチ部２０３−２は閉じており，ドアが開くとリレー２０３のコイル部２０３−１に＋２４Ｖ電源が供給されないのでスイッチ部２０３−２は開くことになり，フォトセンサ２０２の出力がＬとなってからスイッチ２０１がオープン（開）となるので，レーザ駆動回路２０７の制御信号入力がＬレベル（もしくはハイインピーダンス状態）になってから電源入力が遮断されるため，レーザダイオード１００やレーザ駆動回路２０７に電気的ストレスを与えることなくレーザを消灯することができる画像形成装置。」
　２．原査定の拒絶の理由に引用された引用文献２には，図面とともに次の事項が記載されている。
　オ「本発明は，
レーザープリンタのレーザーダイオード（ＬＤ）制御回路において，ロジック制御回路及びＬＤ駆動回路に使用する夫々異にする電源電圧の制御及び画像書込の制御に関する。
　カ「本発明方式は上記従来の構成に加え点線で囲まれた電圧検出部９を有する。即ち点線枠内の
91はロジック制御回路の電源電圧＋５ｖの検出回路，92はＬＤ駆動回路８の電源電圧＋１２ｖの検出回路，であり，夫々の電源電圧を監視し，各電圧が規定値以上なら“Ｈ”，規定値以下なら“Ｌ”，を検出する。ＩＣ
２
93は両検出回路91，92からの出力をリセット信号ＲＥＳＥＴとし，ビデオ及びＬＤ光制御部２へ送る。ここで，リセット信号が“Ｈ”ならビデオ及びＬＤ光制御部２は有効となり“Ｌ”ならば無効となる。
　キ「また，
94はＬＤ駆動インヒビット回路であり，前記両検出回路91，92が共に“Ｈ”なら開放し，前記ＬＤ駆動信号ＰＬＶＬ及びビデオ信号ＶＩＤＥＯは有効となる。しかし何れか１つが“Ｌ”ならば閉塞し前記両信号は無効となる。
ＬＤ駆動インヒビット回路94で無効処理がされると，ＬＤ駆動回路８はＬＤ４を駆動することが不可能となり，ＬＤ駆動信号ＰＬＶＬ及びビデオ信号ＶＩＤＥＯに関係なく，ＬＤ駆動電流は遮断される。
　したがって，上記引用文献２には次の発明（以下，「引用発明２」という。）が記載されていると認められる。
　「ロジック制御回路の電源電圧＋５ｖの検出回路91，ＬＤ駆動回路８の電源電圧＋１２ｖの検出回路92は，夫々の電源電圧を監視し，各電圧が規定値以上なら“Ｈ”，規定値以下なら“Ｌ”，を検出し，
　ＩＣ２93は両検出回路91，92からの出力をリセット信号ＲＥＳＥＴとし，ビデオ及びＬＤ光制御部２へ送り，リセット信号が“Ｈ”ならビデオ及びＬＤ光制御部２は有効となり“Ｌ”ならば無効となるものであって，
　ＬＤ駆動インヒビット回路94は，前記両検出回路91，92が共に“Ｈ”なら開放して，ＬＤ駆動信号ＰＬＶＬ及びビデオ信号ＶＩＤＥＯは有効となるが，何れか１つが“Ｌ”ならば閉塞し前記両信号は無効となるものであって，ＬＤ駆動インヒビット回路94で無効処理がされると，ＬＤ駆動回路８はＬＤ４を駆動することが不可能となり，ＬＤ駆動信号ＰＬＶＬ及びビデオ信号ＶＩＤＥＯに関係なく，ＬＤ駆動電流は遮断されるレーザープリンタのレーザーダイオード（ＬＤ）制御回路。」
　３．原査定の拒絶の理由に引用された引用文献３には，図面とともに次の事項が記載されている。
　ク「【０００９】図１において，１０１は光ビームに感光し，且つトナー像を形成する感光ドラム，１１９は半導体レーザ，１０２は半導体レーザ１１９から照射された光ビーム１０３を走査するポリゴンミラ，１１８は半導体レーザ１１９からの光強度を検出する光強度検出手段としてのフォトディテェクタ，１１７はフォトディテェクタ１１８からの光強度を電圧に変換する光強度電圧変換手段としての光電変換回路，
１１６は所定の光強度を得るための基準電圧を発生する基準電圧発生回路，１１５は光電変換回路１１７により，光強度電圧変換された電圧と基準電圧発生回路１１６の基準電圧とを比較する比較手段としての比較回路であり，１１４は比較結果を所定期間ホールドするサンプルホールド手段としてのサンプルホールド回路である。１２１はサンプルホールド回路１１４のホールド電圧に応じて半導体レーザ１１９の駆動電流を設定する駆動電流設定手段としての電流設定回路，１２０は設定された駆動電流に応じて半導体レーザ１１９のスイッチングを行う発光素子駆動手段としての半導体レーザ駆動回路である。
【００１０】１０８は半導体レーザ１１９から出射してポリゴンミラ１０２で走査された光ビームの走査位置を検出するビームディテェクタ，１０９はビームディテェクタ１０８からの検出信号を波形整形する波形整形回路である。１１０はビームディテェクタ１０８の出力タイミング，およびＣＰＵ１１１からの信号に基づいてサンプルホールド回路１１４が入力信号をサンプルホールドするタイミングを指示するタイミング信号，および画像領域において画像信号マスク回路１０７が画像信号をマスクするためのアンブランク信号とを発生するタイミング発生手段としての第１のタイミング発生回路である。
【００１１】
１１３はサンプルホールド回路１１４でサンプルホールドされた電圧をリセットするためのサンプルホールド電圧リセット回路
　ケ「【００１３】まず，
感光ドラム１０１の外の非画像領域において，半導体レーザ駆動回路１２０の入力端子２１２からの入力信号によって半導体レーザ１１９を強制点灯し，フォトディテェクタ１１８からの光強度を示す電圧を演算増幅器２０３で増幅し，変換され増幅された光強度を示す電圧と所定の光強度が得られるように設定された基準電圧とをコンパレータ２０４で比較する。この比較結果を入力端子２０６に入力されるＡＰＣ制御動作を行うためのＡＰＣ信号によってアナログスイッチ２０５をオンにした状態でサンプルホールドコンデンサ２０７にチャージする。
また，画像形成中はアナログスイッチ２０５をＯＦＦしてホールドコンデンサ２０７の電圧を基に演算増幅器２０９，トランジスタ２１０によって電流を制御する。
【００１４】図３は，画像形成部材の最終行におけるＡＰＣおよびサンプルホールドリセットのタイミングを示すものである。図３において，３０１は図１のビームディテェクタ１０８が出力する光ビームの位置検出信号（ＢＤ信号），３０３はレーザの強制点灯とサンプルホールドを行うタイミングを示すＡＰＣ信号，３０４は図２のサンプルホールドコンデンサ２０７にチャージされた電圧波形，３０５は画像担持体であるドラム１０１に光ビーム１０４，１０５を照射することによりトナー像を形成するための画像信号である。３０２は非画像領域において画像信号をマスクするためのアンブランキング信号，
３０６はサンプルホールドコンデンサ２０７にチャージされている電圧３０４をディスチャージするためのサンプルホールドリセット信号を示すものである。
　コ「【００１６】図４は電源立ち上げ時と電源ＯＦＦ時のサンプルホールドリセット信号を示すものである。４
０１は図２においてＶ
ＣＣ１
で示した電源の出力電圧で，４０２は図２において−Ｖ
ＣＣ２
で示した電源の出力電圧である。４０４で電源がオンされ，４１０で電源がＯＦＦされている。電源立ち上げ時，電源ＯＦＦ時は電源電圧が不安定であるために，レーザ１１９が誤動作するおそれがある。そこで電源立ち上げ時と，画像形成中以外は随時サンプルホールドリセットを行うことによって，電源電圧の不安定時のレーザ１１９の誤動作を防ぐように構成したものである。
　したがって，上記引用文献３には次の発明（以下，「引用発明３」という。）が記載されていると認められる。
　「光電変換回路１１７により，光強度電圧変換された電圧と基準電圧発生回路１１６の基準電圧とを比較する比較手段としての比較回路１１５と，
　比較結果を所定期間ホールドするサンプルホールド手段としてのサンプルホールド回路１１４と，
　サンプルホールド回路１１４のホールド電圧に応じて半導体レーザ１１９の駆動電流を設定する駆動電流設定手段としての電流設定回路１２１と，
　設定された駆動電流に応じて半導体レーザ１１９のスイッチングを行う発光素子駆動手段としての半導体レーザ駆動回路１２０と，
　サンプルホールド回路１１４でサンプルホールドされた電圧をリセットするためのサンプルホールド電圧リセット回路１１３とを備え，
　感光ドラム１０１の外の非画像領域において，半導体レーザ駆動回路１２０の入力端子２１２からの入力信号によって半導体レーザ１１９を強制点灯し，フォトディテェクタ１１８からの光強度を示す電圧を演算増幅器２０３で増幅し，変換され増幅された光強度を示す電圧と所定の光強度が得られるように設定された基準電圧とをコンパレータ２０４で比較し，
　該比較結果を入力端子２０６に入力されるＡＰＣ制御動作を行うためのＡＰＣ信号によってアナログスイッチ２０５をオンにした状態でサンプルホールドコンデンサ２０７にチャージし，
　画像形成中はアナログスイッチ２０５をＯＦＦしてホールドコンデンサ２０７の電圧を基に演算増幅器２０９，トランジスタ２１０によって電流を制御するものであって，
　電源立ち上げ時，電源ＯＦＦ時は電源電圧が不安定であるために，レーザ１１９が誤動作するおそれがあるため，電源立ち上げ時と，画像形成中以外は随時サンプルホールドリセットを行うことによって，電源電圧の不安定時のレーザ１１９の誤動作を防ぐように構成し，サンプルホールドリセット信号によって，サンプルホールドコンデンサ２０７にチャージされている電圧３０４をディスチャージする，
　発光素子からの光ビームを走査して画像形成を行う画像形成装置。」
第５　対比・判断
　１．本願発明１について
（１）対比
　本願発明１と引用発明１とを対比する。
　後者の「感光ドラム１０５」は，前者の「感光体」に相当する。
　後者の「静電潜像」は，前者の「静電潜像」に相当する。
　後者の「トナー」は，前者の「トナー」に相当する。
　後者の「トナー像」は，前者の「トナー像」に相当する。
　後者の「記録用紙１０９」は，前者の「記録媒体」に相当する。
　後者の「レーザ光」は，前者の「光ビーム」に相当する。
　後者の「レーザダイオード１００」は，前者の「発光素子」に相当する。
　後者の「ドア」は，前者の「ドア」に相当する。
　後者の「ドア開閉検知部２００」は，前者の「検知手段」に相当する。
　後者において，「画像信号変調部２０５」は，画像信号２に対し公知のパルス幅変調を行い，変調された画像信号をレーザ駆動回路２０７に供給していることから，前者の「光量制御電圧を制御する制御回路」に相当する機能を有していることは自明である。
　後者において，「レーザ駆動回路２０７」は，画像信号２に対して公知のパルス幅変調が行われた画像信号を画像信号変調部２０５から供給されて，その変調が行われた画像信号によって，レーザダイオード１００を変調駆動しており，これは，レーザダイオード１００に対して「制御電圧に応じた値の駆動電流」を供給することにほかならないから，前者の「入力される光量制御電圧に応じた値の駆動電流を前記発光素子に供給する駆動回路」に相当する機能を有していることは自明である。
　後者において，「画像信号変調部２０５」も「レーザ駆動回路２０７」も，レーザ電源２０４から電源供給されているから，それぞれ「回路を動作させるための電圧を印加」されていることになり，前者の「前記駆動回路に前記駆動回路を動作させるための電圧を印加する第１の電源」及び「前記制御回路に前記制御回路を動作させるための電圧を印加する第２の電源」に相当する構成を有していることは自明である。
　後者において，「ドアが開くと，レーザ駆動回路２０７の制御信号入力がＬレベル（もしくはハイインピーダンス状態）になってから電源入力が遮断される」のであるから，後者は，画像信号２に対し公知のパルス幅変調を行い，変調された画像信号を画像信号変調部２０５から供給されて，レーザダイオード１００を変調駆動していることになり，前者の「ドアが開放されたことを検知したときに，駆動回路への電圧の印加を停止する停止手段」に相当する機能を有していることは自明である。
　したがって，本願発明１と引用発明との間には，次の一致点，相違点がある。
　ア　一致点
「感光体上に静電潜像を形成し，前記静電潜像をトナーを用いて現像し，前記感光体上に現像されたトナー像を記録媒体上に転写することによって記録媒体上に画像を形成する画像形成装置であって，
　前記静電潜像を形成するための光ビームであって，供給される駆動電流の値に応じた光量の光ビームを出射する発光素子と，
　入力される光量制御電圧に応じた値の駆動電流を前記発光素子に供給する駆動回路と，
　前記光量制御電圧を前記駆動回路に入力する制御回路と，
　前記駆動回路に前記駆動回路を動作させるための電圧を印加する第１の電源と，
　前記制御回路に前記制御回路を動作させるための電圧を印加する第２の電源と，
　当該画像形成装置の筐体に設けられたドアの開閉を検知する検知手段と，
　前記検知手段が前記ドアが開放されたことを検知したときに，前記駆動回路への電圧の印加を停止する停止手段と，
を有する画像形成装置。」
　イ　相違点
　（相違点１）本願発明１の「制御回路」は「光量制御電圧を保持するコンデンサ」を含むのに対し，引用発明は，そのような構成を備えていない点。
　（相違点２）本願発明１の「制御回路」は「光ビームの光強度が目標強度になるようにコンデンサが保持する光量制御電圧を制御」し，「コンデンサが保持する光量制御電圧を駆動回路に入力」するものであるのに対し，引用発明の「制御回路」は，「コンデンサ」を備えるものではないため，そのような構成を備えていない点。
　（相違点３）本願発明１は「第１の電源が前記駆動回路に印加する電圧が第１の電圧値以下になったことに応じて第１の監視信号を出力し，第２の電源が前記制御回路に印加する電圧が第２の電圧値以下になったことに応じて第２の監視信号を出力」する「電源監視手段」を備えるものであるのに対し，引用発明は，そのような構成を備えていない点。
　（相違点４）本願発明１は「電源監視手段によって第１の監視信号が出力されたときに，コンデンサに保持された光量制御電圧が駆動回路に入力されないように制御回路と駆動回路との接続を遮断する遮断手段」を備え，「電源監視手段によって前記第２の監視信号が出力されたときに，前記コンデンサから電荷を放電させる放電回路」を備えるものであるのに対し，引用発明は，そのような構成を備えていない点。
（２）相違点についての判断
　事案に鑑みて，「電源監視手段」に係る相違点である上記相違点４について先に検討する。
　相違点４に係る本願発明１の発明特定事項は「第１の監視信号」及び「第２の監視信号」による制御内容に関するものである。
　引用発明２には，相違点３に係る本願発明１の発明特定事項である「第１の電源が前記駆動回路に印加する電圧が第１の電圧値以下になったことに応じて第１の監視信号を出力し，第２の電源が前記制御回路に印加する電圧が第２の電圧値以下になったことに応じて第２の監視信号を出力」に相当する構成は記載されているといえるが，「第１の監視信号」及び「第２の監視信号」のそれぞれが，どのような制御内容の契機となるかについては，記載されていない。
　引用発明３において「サンプルホールドリセット信号によって，サンプルホールドコンデンサ２０７にチャージされている電圧３０４をディスチャージ」する点が記載されているから，何らかの契機によって「コンデンサから電荷を放電させる放電回路」を有しているといえるものの，その契機は，第２の電源が前記制御回路に印加する電圧が第２の電圧値以下になったことに応じて出力される第２の監視信号によるものではなく，第１の監視信号については記載がない。
　以上のことより，相違点４に係る本願発明１の発明特定事項は，引用発明２及び３に記載されておらず，引用文献２及び３に示唆されているともいえない。
　また，相違点４に係る本願発明１の発明特定事項が，本願出願前において周知技術であるともいえないし，当業者にとって設計的事項とする根拠もない。
　したがって，本願発明１は，相違点１乃至３を検討するまでもなく，当業者であっても引用発明１，引用発明２，３に記載された技術的事項に基づいて容易に発明できたものであるとはいえない。
　なお，原審の拒絶査定においては，「引用文献２には，電源電圧＋５ｖの電源（第１の電源）が印加する電圧が第１の電圧値以下になったことに応じて第１の監視信号を出力し，電源電圧＋１２ｖの電源（第２の電源）が印加する電圧が第２の電圧値以下になったことに応じて第２の監視信号を出力する検出回路９１，９２が記載されている。
　また，引用文献３には，サンプルホールド回路において，ＡＰＣ信号によってチャージされ，半導体レーザ１１９の駆動電流を制御するサンプルホールドコンデンサ２０７が設けられ，電源オフ時にサンプルホールドリセットを行うことで，サンプルホールドコンデンサ２０７にチャージされている電圧をディスチャージすることが記載されている。」と認定されているが，引用文献２及び３に上記のとおりの構成（以下，「引用文献２及び３の記載事項」という。）が記載されているとしても，引用発明１は，電源監視手段を有するものではないから，引用文献２及び３の記載事項を適用することが，当業者にとって容易であったとはいえない。
２．本願発明２乃至６について
　本願発明２乃至６は，本願発明１を引用し，さらに限定したものであるから，本願発明１と同じ理由により，当業者であっても，引用発明に基づいて容易に発明できたものとはいえない。
第６　原査定について
　本願発明１乃至６は「電源監視手段によって第１の監視信号が出力されたときに，コンデンサに保持された光量制御電圧が駆動回路に入力されないように制御回路と前記駆動回路との接続を遮断する遮断手段」，「電源監視手段によって第２の監視信号が出力されたときに，コンデンサから電荷を放電させる放電回路」という事項を有するものであり，当業者であっても，拒絶査定において引用された引用文献１乃至５に基づいて，容易に発明できたものとはいえない。したがって，原査定の理由を維持することはできない。
第７　むすび
　以上のとおり，原査定の理由によっては，本願を拒絶することはできない。
　また，他に本願を拒絶すべき理由を発見しない。
　よって，結論のとおり審決する。